(57)【特許請求の範囲】
【請求項１】
スリット状の読取溝を有し、その読取溝に沿って奥側から手前側に引き抜かれた磁気カードのデータを読み取って所定の処理に供する磁気カードデータ処理装置において、
複数のキーを配列したキーボードと、所定の事項を表示する薄型扁平形状の表示部と、所定の事項をロール状の記録用紙に印字する印字部と、を前記読取溝のカード引抜方向下流側からカード引抜方向上流側に向って順に配設すると共に、前記キーボードと前記表示部とを前記読取溝に隣接配置し、
前記記録用紙を収納する用紙収納部を前記表示部の下方であって前記印字部よりカード引抜方向下流側に形成し、
前記表示部をその一端部で回動自在に支持して前記用紙収納部を外部に対して開放・閉塞自在にし、前記表示部を開放した状態で前記記録用紙を前記用紙収納部に落とし込み収納保持可能にした、
ことを特徴とする磁気カードデータ処理装置。
【請求項２】
前記表示部は、前記用紙収納部が収納可能な前記記録用紙の直径及び紙幅よりも大きく形成されていることを特徴とする請求項１記載の磁気カードデータ処理装置。
【請求項３】
前記印字部を開放・開閉自在にするプリンタカバーを有し、
前記プリンタカバーはその奥側の端部を回動自在に支持され、前記表示部はその手前側の端部を回動自在に支持され、前記プリンタカバーの手前側の端部と前記表示部の奥側の端部とが相対向することによって前記用紙収納部から前記印字部に連絡する空間を閉鎖するようにした、
ことを特徴とする請求項１記載の磁気カードデータ処理装置。
【発明の詳細な説明】
【０００１】
【発明の属する技術分野】
本発明は、クレジットカードやバンクカード等の磁気カードのデータ読み取りに使用される磁気カードリーダを有する磁気カードデータ処理装置に関する。
【０００２】
【従来の技術】
図４に示すように、従来のクレジット信用照会端末（以下、ＣＡＴ（Ｃｒｅｄｉｔ  Ａｕｔｈｏｒｉｚａｔｉｏｎ  Ｔｅｒｍｉｎａｌ  ）という。）１０１は、少なくとも磁気カードの磁気ストライプ部分を挿入させて操作者側に引き抜くことができるようなスリット状の読取溝１０２を備えており、この読取溝１０２に沿わせて操作者側（カード引抜方向下流側）から奥側（カード引抜方向上流側）に向って、キーボード１０３、ディスプレイ１０４、サーマルプリンタヘッドを備える印字部（図示せず）を内蔵するサーマルプリンタ部１０５を順に配設している。加えて、サーマルプリンタ部１０５の奥側には、長尺紙の外周面を印字面としてロール状に巻回した記録用紙であるレシート用紙Ｐ´を収納する用紙収納部１０６が設けられている。このレシート用紙Ｐ´は、サーマルプリンタ部１０５の印字部に供されて所定事項を印字された後に、サーマルプリンタ部１０５のレシート発行口１０７からレシートＲ´として発行される。
【０００３】
【発明が解決しようとする課題】
しかしながら、前述したＣＡＴ１０１では、サーマルプリンタ部１０５の奥側に用紙収納部１０６を設けていることにより、機器自体が全体的に縦長になってしまうので、装置の設置面積が広くなってしまうという問題があった。
【０００４】
本発明の目的は、小型の磁気カードデータ処理装置を得ることである。
【０００５】
【課題を解決するための手段】
請求項１記載の発明は、スリット状の読取溝を有し、その読取溝に沿って奥側から手前側に引き抜かれた磁気カードのデータを読み取って所定の処理に供する磁気カードデータ処理装置において、複数のキーを配列したキーボードと、所定の事項を表示する薄型扁平形状の表示部と、所定の事項をロール状の記録用紙に印字する印字部と、を前記読取溝に沿ってカード引抜方向下流側からカード引抜方向上流側に向って順に配設すると共に、前記キーボードと前記表示部とを前記読取溝に隣接配置し、前記記録用紙を収納する用紙収納部を前記表示部の下方であって前記印字部よりカード引抜方向下流側に形成し、前記表示部をその一端部で回動自在に支持して前記用紙収納部を外部に対して開放・閉塞自在にし、前記表示部を開放した状態で前記記録用紙を前記用紙収納部に落とし込み収納保持可能にした。
【０００６】
したがって、キーボードと表示部と印字部とが読取溝に沿ってカード引抜方向下流側からカード引抜方向上流側に向って順に配設され、かつ、表示部の下方であって印字部よりカード引抜方向下流側に用紙収納部が形成される。これにより、表示部と用紙収納部との位置関係がオーバーラップすることになるので、装置が小型化される。また、用紙収納部を外部に対して開放・閉塞する際には、薄型扁平形状の表示部が用紙収納部の開放又は閉塞方向に回動される。これにより、表示部が用紙収納部の蓋を兼ねることになるので、装置を構成する部品点数が削減される。
【０００７】
請求項２記載の発明は、請求項１記載の磁気カードデータ処理装置において、前記表示部は、前記用紙収納部が収納可能な前記記録用紙の直径及び紙幅よりも大きく形成されている。
請求項３記載の発明は、請求項１記載の磁気カードデータ処理装置において、前記印字部を開放・開閉自在にするプリンタカバーを有し、前記プリンタカバーはその奥側の端部を回動自在に支持され、前記表示部はその手前側の端部を回動自在に支持され、前記プリンタカバーの手前側の端部と前記表示部の奥側の端部とが相対向することによって前記用紙収納部から前記印字部に連絡する空間を閉鎖するようにした。
【０００９】
【発明の実施の形態】
本発明の実施の一形態を図１ないし図３に基づいて説明する。本実施の形態の磁気カードデータ処理装置は、磁気カードであるクレジットカードを利用するクレジット決済における信用チェック等に使用するＣＡＴに適用されている。
【００１０】
ここで、図１はＣＡＴ１を概略的に示す外観斜視図、図２はディスプレイ６とプリンタカバー９とを開放させた状態のＣＡＴ１を概略的に示す外観斜視図、図３はディスプレイ６を開放させた状態のＣＡＴ１の内部構造を部分的に切り欠いて示す側面図である。図１に示すように、ＣＡＴ１の筐体である本体ケース２の操作者側から見て右側には、クレジットカードの磁気ストライプを少なくとも挿入させて操作者側に引き抜くことができるようなスリット状の読取溝３を備えた磁気カードリーダ部４が設けられている。この磁気カードリーダ部４には、クレジットカードの磁気ストライプに記録されたデータの読み取りを行なうための磁気カードリーダ（図示せず）が内蔵されている。
【００１１】
加えて、ＣＡＴ１には、読取溝３に沿うようにＣＡＴ１の操作者側（カード引抜方向下流側）から奥側（カード引抜方向上流側）に向って、置数キー等の各種のキーが集合するキーボード５、ＬＣＤ（Ｌｉｑｕｉｄ  Ｃｒｙｓｔａｌ  Ｄｉｓｐｌａｙ）を備えた薄型扁平形状であって取引内容や操作案内等を表示する表示部として機能するディスプレイ６、サーマルプリンタ７（図２参照）を内蔵してそのサーマルプリンタ７によって印字されるレシートＲ（図３参照）を発行するレシート発行口８が形成されたプリンタカバー９が順に設けられている。また、キーボード５とディスプレイ６とプリンタカバー９とによって、ＣＡＴ１には、操作者側（カード引抜方向下流側）から奥側（カード引抜方向上流側）に向う昇斜面が形成されている。
【００１２】
図２に示すように、ディスプレイ６は、キーボード５側に位置するその下端部６ａにおいて軸６ｂ（図３参照）によって回動自在に軸支されており、本体ケース２に対して開閉自在とされている。また、プリンタカバー９は、カード引抜方向上流側に位置するその上端部９ａにおいて回動自在に取り付けられており、本体ケース２に対して開閉自在とされている。加えて、本体ケース２内における閉塞時のディスプレイ６の下側であってサーマルプリンタ７より操作者側には、長尺紙の外周面を印字面（感熱面）としてロール状に巻回した記録用紙であるレシート用紙Ｐを落とし込み収納保持する半円筒の箱形状の用紙収納部１０が設けられている。なお、ディスプレイ６は、レシート用紙Ｐの紙幅及び直径に比して、十分に大きく形成されている。したがって、用紙収納部１０にレシート用紙Ｐを収納する際には、ディスプレイ６を操作者側に向けて回動させることにより、用紙収納部１０を外部に対して露出させることになる。
【００１３】
次に、サーマルプリンタ７について詳細に説明する。図２に示すように、サーマルプリンタ７には、レシート用紙Ｐの挿入を受け付けるスリット状の用紙挿入口７ａと、印字したレシートＲを排出するスリット状の用紙排出口７ｂとが設けられている。なお、用紙挿入口７ａは用紙収納部１０側に開口するように形成されており、用紙排出口７ｂはプリンタカバー９側に開口するように形成されている。また、用紙排出口７ｂは、プリンタカバー９の閉塞時においては、プリンタカバー９に形成されたレシート発行口８に一致する。さらに、図３に示すように、サーマルプリンタ７には、サーマルプリンタヘッド１１とプラテンローラ１２と搬送ローラ１３とが備えられており、用紙挿入口７ａと用紙排出口７ｂとともにレシート用紙Ｐを略上方に搬送する用紙搬送経路１４を構成している。サーマルプリンタヘッド１１はプラテンローラ１２に対向してレシート用紙Ｐの外周面に印字可能な位置に備えられ、これらサーマルプリンタヘッド１１とプラテンローラ１２とによって、印字部１５が形成されている。また、プラテンローラ１２は、モータ（図示せず）を駆動源として回転することにより搬送ローラ１３とともに用紙搬送部材としても機能する。なお、特に図示しないが、サーマルプリンタ７には、レシート用紙Ｐを所定の位置で全切断又は部分切断するカッタ機構が備えられている。
【００１４】
加えて、図３に示すように、用紙収納部１０の底部には、ローラ１６が複数個設けられている。これらのローラ１６は、用紙収納部１０に収納されたレシート用紙Ｐを負荷なく回動できる状態で保持するためのものである。また、サーマルプリンタ７の用紙挿入口７ａの近傍であって、その用紙挿入口７ａと略平行な高さに位置する用紙収納部１０の所定の位置には、用紙挿入口７ａに略水平状態でレシート用紙Ｐを導くための補助ローラ１７が設けられている。
【００１５】
このような構成において、レシート用紙Ｐは、ディスプレイ６を操作者側に向けて回動させた後、そのレシート用紙Ｐのロール下側から用紙先端部を引き出すようにして用紙収納部１０に収納される。また、引き出された用紙先端部は、サーマルプリンタ７の用紙挿入口７ａから用紙搬送経路１４に沿って印字部１５へと導かれてセットされる。この場合、レシート用紙Ｐは、その巻き癖によってプラテンローラ１２に自然に巻き付くので、用紙ジャムが防止され、かつ、サーマルプリンタヘッド１１による印字不良が防止される。その後、印字部１５のサーマルプリンタヘッド１１によって所定事項を印字されたレシート用紙Ｐは、カッタ機構によって所定の位置で自動的に切断され、用紙排出口７ｂを介してレシート発行口８から排出されてレシートＲとして発行される。この場合、レシート発行口８から発行されるレシートＲは、その巻き癖によって、操作者側に倒れながら発行されるので、掴み取り易くなっている。
【００１６】
ここに、キーボード５とディスプレイ６とサーマルプリンタ７とが読取溝３に沿ってカード引抜方向下流側からカード引抜方向上流側に向って順に配設され、かつ、ディスプレイ６の下方であってサーマルプリンタ７よりカード引抜方向下流側に用紙収納部１０が形成されることにより、ディスプレイ６と用紙収納部１０との位置関係がオーバーラップした小型のＣＡＴ１が得られる。また、ディスプレイ６が用紙収納部１０の蓋を兼ねているので、ＣＡＴ１を構成する部品点数が削減され、装置のコストダウンが図られる。
【００１７】
なお、本実施の形態においては、ディスプレイ６をその下端部６ａにおいて回動自在に軸支するようにしたが、これに限るものではなく、その上端部や左右の端部において回動自在に軸支するようにしても良い。
【００１８】
また、本実施の形態においては、磁気カードデータ処理装置としてＣＡＴ１を適用したが、これに限るものではなく、磁気カードリーダを備えてその磁気カードリーダの読取溝に沿ってキーボードとディスプレイとプリンタとを順に配置したものであれば、ＰＯＳ端末やＥＣＲ等の商品販売登録データ処理装置であっても良い。
【００１９】
さらに、本実施の形態においては、記録用紙として長尺紙の外周面を印字面としてロール状に巻回したレシート用紙Ｐを適用してサーマルプリンタヘッド１１で印字するようにしたが、これに限るものではなく、インクジェットプリンタによって印字するようにしても良いし、複写式の記録用紙を適用してインパクトプリンタによって印字するようにしても良い。
【００２０】
【発明の効果】
本発明によれば、キーボードと表示部と印字部とを読取溝に沿ってカード引抜方向下流側からカード引抜方向上流側に向って順に配設し、かつ、表示部の下方であって印字部よりカード引抜方向下流側に用紙収納部を形成したことにより、表示部と用紙収納部との位置関係をオーバーラップさせることができるので、装置を小型化することができる。
【００２１】
また、一端部で回動自在に支持された表示部を回動させて用紙収納部を外部に対して開放・閉塞することにより、薄型扁平形状の表示部を用紙収納部の蓋として利用できるので、装置を構成する部品点数を削減することができ、装置を安価に製造することができる。
【図面の簡単な説明】
【図１】本発明の実施の一形態のＣＡＴを概略的に示す外観斜視図である。
【図２】ディスプレイとプリンタカバーとを開放させた状態のＣＡＴを概略的に示す外観斜視図である。
【図３】ディスプレイを開放させた状態のＣＡＴの内部構造を部分的に切り欠いて示す側面図である。
【図４】従来のＣＡＴを概略的に示す外観斜視図である。
【符号の説明】
３      読取溝
５      キーボード
６      表示部
６ａ    端部
１０    用紙収納部
１５    印字部
Ｐ      記録用紙
【図１】
0003604067.tif 000002
【図２】
0003604067.tif 000003
【図３】
0003604067.tif 000004
【図４】
0003604067.tif 000005